(57)【要約】【課題】ユーザの所望に応じて挿入されるＣＭデータ量を変更することにより、柔軟な課金金額決定を行うことを可能とする。【解決手段】放送コンテンツを受信するためのチューナ１１と、受信した放送コンテンツを蓄積するための大容量記録メディア（番組用大容量記録メディア１３）と、放送コンテンツに挿入するＣＭデータをチューナから得て蓄積するためのＣＭデータ用大容量記録メディア１２と、放送コンテンツとＣＭデータの出力を選択的に切り替えるための切り替え手段（切り替え部１４）とを備え、ユーザが放送コンテンツを視聴する前に、ＣＭデータの挿入量を任意に決定し、当該決定に基づいて放送コンテンツに対する課金金額を決定するものとする。【選択図】　　　図１
2004088630.tif 000002
【特許請求の範囲】
【請求項１】
放送コンテンツ提供側から配信される放送コンテンツを受信するためのチューナと、受信した放送コンテンツを蓄積するための記録メディアと、前記放送コンテンツに挿入するＣＭデータを取得するＣＭ取得メディアと、前記放送コンテンツと前記ＣＭデータの出力を選択的に切り替えるための切り替え手段とを備え、
ユーザが前記放送コンテンツを視聴する前にＣＭデータの挿入量を任意に決定し、前記放送コンテンツの出力時に予めＣＭデータが蓄積されたＣＭデータ用記録メディアからユーザ側で決定された容量のＣＭデータを挿入して出力することを特徴とするＣＭデータ再生装置。
【請求項２】
前記ＣＭ取得メディアは、前記放送コンテンツに挿入するＣＭデータを前記チューナから得て蓄積するためのＣＭデータ用記録メディアとすることを特徴とする請求項１に記載のＣＭデータ再生装置。
【請求項３】
前記ＣＭ取得メディアは、前記チューナとは別体に設けられ、前記放送コンテンツに挿入するＣＭデータを受信するためのＣＭデータ用チューナとすることを特徴とする請求項１に記載のＣＭデータ再生装置。
【請求項４】
前記ＣＭ取得メディアは、前記放送コンテンツに挿入するＣＭデータをネットワーク上のサーバから得るためのネットワークインターフェイス手段とすることを特徴とする請求項１に記載のＣＭデータ再生装置。
【請求項５】
放送コンテンツ提供側から配信される放送コンテンツを受信するためのチューナと、受信した放送コンテンツを蓄積するための記録メディアと、前記放送コンテンツに挿入するＣＭデータを取得するＣＭ取得メディアと、前記放送コンテンツと前記ＣＭデータの出力を選択的に切り替えるための切り替え手段とを備え、
ユーザが前記放送コンテンツを視聴する前にＣＭデータの挿入量を任意に決定し、前記放送コンテンツの出力時に予めＣＭデータが蓄積されたＣＭデータ用記録メディアからユーザ側で決定された容量のＣＭデータを挿入して出力し、ユーザ毎に決定されたＣＭデータの挿入量に基づいて前記放送コンテンツに対する課金金額を決定することを特徴とする視聴課金システム。
【請求項６】
前記ＣＭ取得メディアは、前記放送コンテンツに挿入するＣＭデータを前記チューナから得て蓄積するためのＣＭデータ用記録メディアとすることを特徴とする請求項５に記載の視聴課金システム。
【請求項７】
前記ＣＭ取得メディアは、前記チューナとは別体に設けられ、前記放送コンテンツに挿入するＣＭデータを受信するためのＣＭデータ用チューナとすることを特徴とする請求項５に記載の視聴課金システム。
【請求項８】
前記ＣＭ取得メディアは、前記放送コンテンツに挿入するＣＭデータをネットワーク上のサーバから得るためのネットワークインターフェイス手段とすることを特徴とする請求項５に記載の視聴課金システム。
【発明の詳細な説明】
【０００１】
【発明の属する技術分野】
本発明は、放送コンテンツにおけるＣＭデータ再生装置とその放送コンテンツに対する課金システムに関し、特にユーザに応じて柔軟にＣＭデータを再生できるＣＭデータ再生装置とそのＣＭデータに応じて放送コンテンツに対する課金金額決定を行うことができる視聴課金システムに関する。
【０００２】
【従来の技術】
現在のディジタル放送番組では、放送コンテンツの視聴に対して課金され、料金を支払ったユーザのみが視聴可能な有料放送と、従来の地上波放送と同様に、ＣＭが挿入されることで視聴に対する課金が発生しない無料放送とがある。
また、ネットワーク上において、オンデマンドで視聴可能な映像コンテンツが試験的に配信されており、将来、有料のディジタル放送と同様に課金を行うことにより、良質なコンテンツが配信されることが期待されている。
【０００３】
このように、従来の地上波放送やディジタル放送の一部の番組などではＣＭが挿入されているが、従来のＣＭデータの挿入方法としては、放送コンテンツと一体としてＣＭデータを取り扱い、放送コンテンツとＣＭデータとを一体として放送が行われている。このとき、ＣＭデータと放送コンテンツは一体となっているので、両者をユーザ側で分離して扱うことは困難であった。
【０００４】
その結果、有料の放送コンテンツに対する課金金額はコンテンツ提供側が決定し、その放送コンテンツを視聴したいと希望するユーザは、一律にコンテンツ提供側が決定した価格でしか視聴することができなかった。
また、視聴者の意向にかかわらず予めＣＭが挿入されているため、視聴に対する課金が発生しない無料の放送コンテンツに対して、たとえ課金が発生してもＣＭが挿入されない状態で視聴したいとユーザが希望した場合であっても、ＣＭが挿入されない状態で視聴することはできなかった。
【０００５】
そこで、上記問題点の対策として、特開２０００−１６５３３５号公報に開示されているように、ＣＭデータと番組データを分離可能な状態で放送し、受信装置側でＣＭデータと番組データに分離して、番組再生画面の所定の位置にＣＭデータを選択的に再生挿入するＣＭデータ再生装置が提案されている。
【０００６】
しかしながら、前記ＣＭデータ再生装置は、番組データとＣＭデータとは分離可能ではあるものの、ＣＭデータは番組データに付随される形で放送されることを前提としているため、これらを分離する手段が必要となる。さらに、ＣＭデータを番組データに挿入する際に、番組再生画面の所定の位置に挿入するための合成部が必要となるという問題点があった。
【０００７】
上記問題点に関して、例えば、今後普及が見込まれるネットワークを利用したオンデマンドの映像コンテンツ配信においては、番組データとＣＭデータを別の手段や経路で得たい場合に問題となる。また、番組データとＣＭデータが異なる圧縮フォーマットを利用した場合には、合成部の前段で再度フォーマット変換した後に合成しなければならないという問題が生じる。
【０００８】
また、その他の対策として、特開平７−２０３４２０号公報に開示されているように、ビデオ・オンデマンドで有料番組の放送に先立ち、個々の視聴者の許容度に応じて、ＣＭを放送するとともに料金を割り引く受信装置が提案されている。この受信装置は、双方向放送において、放送局側で複数の有料映像番組を用意し、特定の受信者側の選択に応じて随時放送し、受信者側で選択された有料映像番組の放送に先立ち、個々の視聴者の許容度に応じて、所定のＣＭを放送する装置である。
【０００９】
しかしながら、前記受信装置では、放送局側が個々のユーザに対してＣＭデータを送るための対応が必要となり、ユーザが多くなると放送局側の負担（チャンネルの確保など）が大きくなるという問題が生じる可能性がある。
【００１０】
また、有料番組の放送に先立ってＣＭデータを放送するので、番組の途中にＣＭを挿入することが困難となる。さらに、ＣＭデータを途中に挿入することができないので、ユーザの利便性を考えた場合に、あまり長時間ＣＭを放送することができず、広告効果も期待できなくなる。
【００１１】
【発明が解決しようとする課題】
このように、放送コンテンツとＣＭデータが一体として放送・配信された場合には、ユーザ側で放送コンテンツとＣＭデータを分離することが困難となり、放送コンテンツに対して個々のユーザ毎に存在する「ＣＭ無しの有料視聴」や「ＣＭ有りの無料視聴」等の視聴スタイルに応じて、ユーザ側の選択希望を実現することが困難であった。
【００１２】
また、放送コンテンツの課金金額はコンテンツ提供側が決定するとともに、ＣＭ挿入の有無もコンテンツ提供側が決定しているため、ＣＭが挿入されてもかまわないが無料もしくは低価格で視聴したいと望むユーザと、課金が発生してもかまわないのでＣＭが挿入されない放送コンテンツを視聴したいと望むユーザに対して、一度の放送・配信で両ユーザを同時に満足させることが困難であった。
【００１３】
本発明は、上記問題点に鑑みてなされたものであり、ユーザの所望に応じて挿入されるＣＭデータ量を変更することにより、ユーザに応じて柔軟にＣＭデータを再生することを可能にしたＣＭデータ再生装置と、ユーザに応じて再生されるＣＭデータ量に基づき柔軟に放送コンテンツに対する課金金額決定を行うことが可能な視聴課金システムを提供することを目的とする。
【００１４】
【課題を解決するための手段】
本発明に係るＣＭデータ再生装置は、上述した目的を達成するため、以下の特徴点を備えている。
すなわち、本発明に係るＣＭデータ再生装置は、例えば放送局や放送コンテンツ製作事業者などの放送コンテンツ提供側から配信される放送コンテンツを受信するためのチューナと、受信した放送コンテンツを蓄積するための大容量の記録メディアと、前記放送コンテンツに挿入するＣＭデータを取得するＣＭ取得メディアと、前記放送コンテンツと前記ＣＭデータの出力を選択的に切り替えるための切り替え手段とを備え、ユーザが前記放送コンテンツを視聴する前にＣＭデータの挿入量を任意に決定し、前記放送コンテンツの出力時に予めＣＭデータが蓄積されたＣＭデータ用記録メディアからユーザ側で決定された容量のＣＭデータを挿入して、前記切り替え手段により適宜にＣＭデータを出力することを特徴とするものである。
この構成によれば、ユーザの所望に応じて挿入されるＣＭデータ量を変更することができ、ユーザに応じて柔軟にＣＭデータを再生することができる。
【００１５】
また、本発明のＣＭデータ再生装置は、前記ＣＭ取得メディアを、前記放送コンテンツに挿入するＣＭデータを前記チューナから得て蓄積するためのＣＭデータ用記録メディアとすることが好ましい。
この構成によると、ユーザは、ＣＭデータ用記録メディアから容易にＣＭデータを取り込んでＣＭの挿入回数、時間、ＣＭの有無の設定などを任意に行うことができる。
【００１６】
また、本発明のＣＭデータ再生装置は、前記ＣＭ取得メディアを、前記チューナとは別体に設けられ、前記放送コンテンツに挿入するＣＭデータを受信するためのＣＭデータ用チューナとすることが好ましい。
この構成によると、ユーザは、ＣＭデータ用チューナから容易にＣＭデータを取り込んでＣＭの挿入回数、時間、ＣＭの有無の設定などを任意に行うことができる。
【００１７】
また、本発明のＣＭデータ再生装置は、前記ＣＭ取得メディアを、前記放送コンテンツに挿入するＣＭデータをネットワーク上のサーバから得るためのネットワークインターフェイス手段とすることが好ましい。
この構成によると、ユーザは、ネットワークのサーバから容易にＣＭデータを取り込んでＣＭの挿入回数、時間、ＣＭの有無の設定などを任意に行うことができる。
【００１８】
また、本発明に係る視聴課金システムは、上述した目的を達成するため、以下の特徴点を備えている。
すなわち、本発明に係る視聴課金システムは、例えば放送局や放送コンテンツ製作事業者などの放送コンテンツ提供側から配信される放送コンテンツを受信するためのチューナと、受信した放送コンテンツを蓄積するための大容量の記録メディアと、前記放送コンテンツに挿入するＣＭデータを取得するＣＭ取得メディアと、前記放送コンテンツと前記ＣＭデータの出力を選択的に切り替えるための切り替え手段とを備え、ユーザが前記放送コンテンツを視聴する前にＣＭデータの挿入量を任意に決定し、前記放送コンテンツの出力時に予めＣＭデータが蓄積されたＣＭデータ用記録メディアからユーザ側で決定された容量のＣＭデータを挿入して出力し、ユーザ毎に決定されたＣＭデータの挿入量に基づいて前記放送コンテンツに対する課金金額を決定することを特徴とするものである。
この構成によると、ユーザに応じて再生されるＣＭデータ量に基づき柔軟に放送コンテンツに対する課金金額決定を行うことができる。
【００１９】
また、本発明の視聴課金システムは、前記ＣＭ取得メディアを、前記放送コンテンツに挿入するＣＭデータを前記チューナから得て蓄積するためのＣＭデータ用記録メディアとすることが好ましい。
この構成によると、ユーザは、ＣＭデータ用記録メディアから容易にＣＭデータを取り込んでＣＭの挿入回数、時間、ＣＭの有無の設定などを任意に行うことができるとともに、そのＣＭの挿入量に応じてユーザ毎に放送コンテンツの視聴課金額を決定することができる。
【００２０】
また、本発明の視聴課金システムは、前記ＣＭ取得メディアを、前記チューナとは別体に設けられ、前記放送コンテンツに挿入するＣＭデータを受信するためのＣＭデータ用チューナとすることが好ましい。
この構成によると、ユーザは、ＣＭデータ用チューナから容易にＣＭデータを取り込んでＣＭの挿入回数、時間、ＣＭの有無の設定などを任意に行うことができるとともに、そのＣＭの挿入量に応じてユーザ毎に放送コンテンツの視聴課金額を決定することができる。
【００２１】
また、本発明の視聴課金システムは、前記ＣＭ取得メディアを、前記放送コンテンツに挿入するＣＭデータをネットワーク上のサーバから得るためのネットワークインターフェイス手段とすることが好ましい。
この構成によると、ユーザは、ネットワークのサーバから容易にＣＭデータを取り込んでＣＭの挿入回数、時間、ＣＭの有無の設定などを任意に行うことができるとともに、そのＣＭの挿入量に応じてユーザ毎に放送コンテンツの視聴課金額を決定することができる。
【００２２】
【発明の実施の形態】
以下、本発明の実施の形態を、図面を参照して詳細に説明する。
図１は本発明の実施形態１に係るＣＭデータ再生装置の構成を示すブロック図である。
【００２３】
実施形態１に係るＣＭデータ再生装置１０は、図１に示すように、放送局から送信される電波をアンテナを介して受信してＳＴＢ内部用の信号に変換するためのチューナ１１と、変換されたディジタル放送の番組データを記録・再生するための番組データ用大容量記録メディア１３と、ＣＭ取得メディアとして前記チューナ１１を介して得られたＣＭデータを記録・再生するためのＣＭデータ用大容量記録メディア１２と、前記チューナ１１からの番組データ、番組データ用大容量記録メディア１３の出力およびＣＭデータ用大容量記録メディア１２の出力を切り替えるための切り替え部１４と、前記切り替え部１４から出力された番組データやＣＭデータをデコードしてディスプレイ１７へ出力するためのデコーダ１６と、ユーザからのＣＭデータ有無等のリクエストに応じて切り替え部１４等を制御するための制御部１５とを備えている。
【００２４】
また、実施形態１は、上述した構成からなるＣＭデータ再生装置１０を採用して視聴課金システム１００を構築したものである。
以下に、放送コンテンツに対する課金金額の決定システムとその処理手順について説明する。
【００２５】
ユーザは、視聴する放送コンテンツを決定するとともに、予めＣＭの有無やＣＭの回数および時間を決定する。同時に、予め放送コンテンツ配信側が決定していた視聴料一覧が提示される。例えば、ＣＭ無しは５００円、ＣＭ１回（１５秒）は４００円、ＣＭ５回（１分１５秒）は無料等に既定されている。
【００２６】
尚、ユーザは、放送コンテンツの価格一覧が提示された後にその一覧の中からユーザが任意の価格を選択し、その選択によりＣＭ挿入回数／時間を決定しても良い。
【００２７】
放送コンテンツ配信側（放送局）からは、ＣＭデータを付加せずに放送コンテンツが配信されている。チューナ１１は、アンテナを介して当該放送を受信し、番組データを出力する。その際、ユーザがＣＭ無しを選択すると、切り替え部１４は、出力をチューナ１１側に切り替え、番組データをデコーダ１６へ出力する。
【００２８】
一方、ユーザがＣＭ有りを選択すると、チューナ１１の出力が番組データ用大容量記録メディア１３に記録され、同時に、切り替え部１４は、出力を番組データ用大容量記録メディア１３側に切り替わり、番組データ（放送コンテンツ）をデコーダ１６に出力する。
【００２９】
前記切り替え部１４は、当該番組データ内にＣＭ挿入可能のマークを見つけると、出力をＣＭデータ用大容量記録メディア１２側に切り替え、ＣＭデータをデコーダ１６へ出力する。
このようにして、予めユーザが決定した回数／時間に応じて放送コンテンツ内にＣＭデータを挿入することができる。
【００３０】
以上のように構成したので、実施形態１のＣＭデータ再生装置１０によれば、ユーザは、番組データ用大容量記録メディア１３により視聴する放送コンテンツを容易に決定することができ、ＣＭデータ用大容量記録メディア１２により予めＣＭの有無やＣＭの回数および時間を決定して取得することができる。
【００３１】
また、実施形態１の視聴課金システム１００によれば、ＣＭデータの挿入量に応じて予め放送コンテンツ配信側が決定した視聴料の一覧を提示することで、容易に放送コンテンツの課金金額を決定することができる。
【００３２】
次に、本発明に係る実施形態２について、図面を参照して詳細に説明する。
図２は本発明の実施形態２に係るＣＭデータ再生装置の構成を示すブロック図である。
【００３３】
実施形態２に係るＣＭデータ再生装置２０は、図２に示すように、放送局から送信される電波をアンテナを介して受信し、ＳＴＢ内部用の信号に変換するためのチューナ２１と、変換されたディジタル放送の番組データを記録・再生するための番組データ用大容量記録メディア２３と、前記チューナ２１と別体に構成され、同様に放送局からの電波をアンテナを介して受信してＳＴＢ内部用の信号に変換してＣＭデータを得るためのＣＭデータ用チューナ２８と、前記チューナ２１からの番組データ、番組データ用大容量記録メディア２３の出力およびＣＭデータ用チューナ２８の出力を切り替えるための切り替え部２４と、前記切り替え部２４から出力された番組データやＣＭデータをデコードしてディスプレイ２７へ出力するためのデコーダ２６と、ユーザからのＣＭデータ有無等のリクエストに応じて切り替え部２４等を制御するための制御部２５とを備えている。
【００３４】
また、実施形態２は、上述した構成からなるＣＭデータ再生装置２０を採用して視聴課金システム２００を構築したものである。
以下、放送コンテンツに対する課金金額の決定システムとその処理手順について説明する。
【００３５】
ユーザは、視聴する番組コンテンツを決定するとともに、ＣＭの有無やＣＭの回数および時間を決定する。同時に、予め放送コンテンツ配信側が決定していた視聴料一覧が提示される。表示例は、上述した実施形態１と同様のものとする。
【００３６】
放送コンテンツ配信側（放送局）は、ＣＭデータを付加せずに放送コンテンツを放送する。
チューナ２１は、アンテナを介して当該放送を受信し、番組データを出力する。その際、ユーザがＣＭ無しを選択すると、切り替え部２４は、出力をチューナ２１側に切り替え、番組データをデコーダ２６へ出力する。
【００３７】
一方、ユーザがＣＭ有りを選択すると、チューナ２１の出力が番組データ用大容量記録メディア２３に記録され、同時に、切り替え部２４は、出力を番組データ用大容量記録メディア２３側に切り替わり、番組データ（放送コンテンツ）をデコーダ２６に出力する。
【００３８】
前記切り替え部２４は、当該番組データ内にＣＭ挿入可能のマークを見つけると、出力をＣＭデータ用チューナ２８側に切り替え、ＣＭデータをデコーダ２６へ出力する。
このようにして、予めユーザが決定した回数／時間に応じて放送コンテンツ内にＣＭデータを挿入することができる。
【００３９】
前記コンテンツ配信側は、ＣＭ配信専門のチャンネルを立ち上げておき、ＣＭデータ用チューナ２８は、ＣＭデータを得ることを目的としてこのＣＭデータ配信専門チャンネルにチャンネルを合せる。
【００４０】
以上のように構成したので、実施形態２のＣＭデータ再生装置２０によれば、番組データ用大容量記録メディア１３により視聴する放送コンテンツを容易に決定することができ、ＣＭデータ用チューナ２８より容易にＣＭデータを取得することができる。
【００４１】
また、実施形態２の視聴課金システム２００によれば、ＣＭデータ用チューナ２８によりＣＭデータ配信専門チャンネルからＣＭデータの挿入量に応じて放送コンテンツ配信側が予め決定した視聴料の一覧を取得して、容易に放送コンテンツの課金金額を決定することができる。
【００４２】
次に、本発明に係る実施形態３について、図面を参照して詳細に説明する。
図３は本発明の実施形態３に係るＣＭデータ再生装置の構成を示すブロック図である。
【００４３】
実施形態３に係るＣＭデータ再生装置３０は、図３に示すように、放送局から送信される電波をアンテナを介して受信し、ＳＴＢ内部用の信号に変換するためのチューナ３１と、変換されたディジタル放送の番組データを記録・再生するための番組データ用大容量記録メディア３３と、ＣＭデータをネットワーク上のサーバから得るために外部のネットワークに接続するためのネットワークインターフェイス部３９と、チューナ３１からの番組データ、番組データを記録した番組データ用大容量記録メディア３３の出力およびネットワークインターフェイス部３９の出力を切り替えるための切り替え部３４と、切り替え部３４から出力された番組データやＣＭデータをデコードしてディスプレイ３７へ出力するためのデコーダ３６と、ユーザからのＣＭデータ有無等のリクエストに応じて切り替え部３４等を制御するための制御部３５を備えている。
【００４４】
また、実施形態３は、上述した構成からなるＣＭデータ再生装置３０を採用して視聴課金システム３００を構築したものである。
以下、放送コンテンツに対する課金金額の決定システムとその処理手順について説明する。
【００４５】
ユーザは、視聴する番組コンテンツを決定するとともに、ＣＭの有無やＣＭの回数および時間を決定する。同時に、予め放送コンテンツ配信側が決定していた視聴料一覧が提示される。表示例は、上述した実施形態１と同様のものとする。
【００４６】
この際、ＣＭのジャンルなども合せて選択可能とすることにより、個々のユーザが好みのＣＭを選択することができ、より効果的にＣＭを配信することが可能となる。
【００４７】
放送コンテンツ配信側（放送局）は、ＣＭデータを付加せずに放送コンテンツを放送する。チューナ３１は、アンテナを介して当該放送を受信し、番組データを出力する。その際、ユーザがＣＭ無しを選択すると、切り替え部３４は、出力をチューナ３１側に切り替え、番組データをデコーダ３６へ出力する。
【００４８】
一方、ユーザがＣＭ有りを選択すると、チューナ３１の出力が番組データ用大容量記録メディア３３に記録され、同時に、切り替え部３４は、出力を番組データ用大容量記録メディア３３側に切り替わり、番組データ（放送コンテンツ）をデコーダ３６に出力する。
【００４９】
前記切り替え部３４は、当該番組データ内にＣＭ挿入可能のマークを見つけると、出力をネットワークインターフェイス部３９側へ切り替え、ＣＭデータをデコーダ３６へ出力する。
このようにして、予めユーザが決定した回数／時間に応じて放送コンテンツ内にＣＭデータを挿入することができる。
【００５０】
ネットワークインターフェイス部３９は、制御部３５からの信号に基づいて、予めコンテンツ配信側が設置したネットワーク４０上に存在するＣＭデータ配信サーバヘアクセスして、ユーザからのリクエストに応じたＣＭデータを得ることができる。
【００５１】
また、視聴に先立って、外部のネットワーク４０にアクセスすることで、放送コンテンツの課金金額の一覧を個々のユーザ毎に変更してもよい。例えば、予め所定のウェブページにアクセスすることにより、課金金額を割引く等の対処を行うことができる。
【００５２】
以上のように構成したので、実施形態３のＣＭデータ再生装置３０によれば、番組データ用大容量記録メディア１３により視聴する放送コンテンツを容易に決定することができ、ネットワークインターフェイス部３９によりネットワーク４０上から容易にＣＭデータを取得することができる。
【００５３】
また、実施形態３の視聴課金システム３００によれば、外部のネットワーク４０にアクセスすることで、ＣＭデータの挿入量に応じて放送コンテンツ配信側が予め決定した視聴料の一覧を取得して、容易に放送コンテンツの課金金額を決定することができる。
【００５４】
なお、上述した各実施形態では、番組データをディジタル放送の放送コンテンツとして説明を行ったが、番組データはこれに限定されるものではなく、ネットワーク上で視聴可能なストリーミング映像コンテンツとしてもよい。
【００５５】
また、本発明に用いる番組データ用あるいはＣＭデータ用の大容量記録メディアとして、例えばハードディスクあるいは記録再生が可能なＤＶＤ（ＤＩＧＩＴＡＬ　ＶＥＲＳＡＴＩＬＥ　ＤＩＳＣ）等の光ディスクを用いたランダムアクセス型の記録メディアを使用することができる。
【００５６】
【発明の効果】
以上説明したように、本発明に係るＣＭデータ再生装置および視聴課金システムによれば、ユーザの所望に応じて挿入されるＣＭデータ量を変更することにより、ユーザに応じて柔軟にＣＭデータを再生することを可能にしたＣＭデータ再生装置と、ユーザに応じて再生されるＣＭデータ量に基づき柔軟に放送コンテンツに対する課金金額決定を行うことができるという優れた効果を奏し得る。
【００５７】
すなわち、本発明によれば、一度の放送・配信を行うだけで、ＣＭが挿入されてもかまわないが無料もしくは低価格で視聴したいと望むユーザと、課金が発生してもかまわないのでＣＭが挿入されない放送コンテンツを視聴したいと望むユーザの両ユーザを同時に満足させることができ、個々のユーザによって放送コンテンツの課金金額を柔軟に変更することができる。
【００５８】
詳しくは、本発明によれば、放送コンテンツの配信側における大規模なシステム変更を行うことなく、放送コンテンツの課金金額を個々のユーザが任意に決定・選択することができる。
【００５９】
また、本発明によれば、番組データとＣＭデータは別々の手段および別々のタイミングで入手し、ＣＭデータの番組に対する挿入は各受信装置で行うため、放送局側は個々のユーザ毎の対応は不要となり、ユーザ数の増加による放送局側の負担が最小ですむという優れた効果を奏する。
【００６０】
また、上記した従来の受信装置では、番組の放送に先立ってＣＭデータを放送するが、これにより１回の放送で放送可能なＣＭデータの時間や種類が限られてしまう。ユーザから見ると、視聴しようとする番組に先立って放送されるＣＭデータが長時間にわたると不便である。これに対して、本発明によれば、番組データの途中にＣＭデータを数回挿入してゆくことで、結果的に長時間のＣＭデータを放送することができ、なおかつユーザの利便性も損なわずにすむという優れた効果を奏する。
【図面の簡単な説明】
【図１】本発明の実施形態１に係るＣＭデータ再生装置の構成を示すブロック図である。
【図２】本発明の実施形態２に係るＣＭデータ再生装置の構成を示すブロック図である。
【図３】本発明の実施形態３に係るＣＭデータ再生装置の構成を示すブロック図である。
【符号の説明】
１０、２０、３０　データ再生装置
１１、２１、３１　チューナ
１２　ＣＭデータ用大容量記録メディア
１３、２３、３３　番組データ用大容量記録メディア
１４、２４、３４　切り替え部
１５、２５、３５　制御部
１６、２６、３６　デコーダ
１７、２７、３７　ディスプレイ
２８　データ用チューナ
３９　ネットワークインターフェイス部
４０　ネットワーク
１００、２００、３００　視聴課金システム
【図１】
2004088630.tif 000003
【図２】
2004088630.tif 000004
【図３】
2004088630.tif 000005